(57)【要約】      （修正有）【課題】意匠感に優れ、猫等動物の進入路を阻止し、防犯面にも適した隅角部における忍返しの取付構造を提供する。【解決手段】先端部に剣先部を有する棒状の剣先部材の所要数を所定間隔をもって配し、該剣先部材の中間部をビス、ボルト等の止具の螺子部の挿通間隔をもって上下一対の連結棒材で連結し、さらに該剣先部材の下端部を連結材で連結して忍返しを形成し、該忍返しを塀の天板に長手方向に止具、金具等の固定手段を介して立設し、塀の隅角部に対向するそれぞれの忍返しは隅角部側の上記上下一対の連結棒材にとりつけられる接続金具を介して一体的に連結しており、該接続金具は上下一対の連結棒材にビス、ボルト等の止具で固定される固定部と、該固定部に連設している連結部と、該連結部同志を所定角度に変位可能に軸支している回転軸で構成されていることを特徴とする忍返しの取付構造。【選択図】図６
0003131969.tif 000002
【実用新案登録請求の範囲】
【請求項１】
先端部に剣先部を有する棒状の剣先部材の所要数を所定間隔をもって配し、該剣先部材の中間部をビス、ボルト等の止具の螺子部の挿通間隔をもって上下一対の連結棒材で連結し、さらに該剣先部材の下端部を連結材で連結して忍返しを形成し、該忍返しを塀の天板に長手方向に止具、金具等の固定手段を介して立設し、塀の隅角部に対向するそれぞれの忍返しは隅角部側の上記上下一対の連結棒材にとりつけられる接続金具を介して一体的に連結しており、該接続金具は上下一対の連結棒材にビス、ボルト等の止具で固定される固定部と、該固定部に連設している連結部と、該連結部同志を所定角度に変位可能に軸支している回転軸で構成されていることを特徴とする忍返しの取付構造。
【請求項２】
接続金具の固定部に連設している連結部は、固定部の一端を略水平状に屈曲して形成していることを特徴とする請求項１記載の忍返しの取付構造。
【請求項３】
塀の隅角部に対向する忍返しは、隅角部に近接の剣先部材を除く他の剣先部材は、下端部を内側に屈曲して支持部を形成し、さらに支持部同志を連結材で連結し、隅角部に近接の剣先部材は上記支持部を欠除していることを特徴とする請求項１又は請求項２記載の忍返しの取付構造。
【考案の詳細な説明】
【技術分野】
【０００１】本考案は忍返しの取付構造、ことにコンクリート塀、ブロック塀等塀の入隅、出隅など隅角部における忍返しの取付構造に関する。
【背景技術】
【０００２】従来コンクリート塀、ブロック塀、その他塀の上面につまり天板に直に、あるいは笠木をとりつけ、その上面（以下塀の天板と言う）に忍返しを立設する構造は公知である。
【考案の開示】
【考案が解決しようとする課題】
【０００３】上記従来の忍返しは、塀の天板にとりつけるには天板の直線上においては所定長さの忍返しを順次近接して並べ、アンカーボルト等の止具、その他金具等の固定手段を介して天板に固定している。ところが入隅、出隅等隅角部においては、その角部に対向する忍返し同志は互いに近接する事なく、その間が大きな空隙になっていた。
そのために塀全体における忍返しの取付状態において意匠感を損ない、防犯面において好ましいとは言えず、さらにまた猫などの進入路となり、忍返しによる遮蔽効果が薄れていた。
本考案は上記問題点を解決したものである。
【課題を解決するための手段】
【０００４】本考案はつぎの特徴を備えている。
その一つは「先端部に剣先部を有する棒状の剣先部材の所要数を所定間隔をもって配し、該剣先部材の中間部をビス、ボルト等の止具の螺子部の挿通間隔をもって上下一対の連結棒材で連結し、さらに該剣先部材の下端部を連結材で連結して忍返しを形成し、該忍返しを塀の天板に長手方向に止具、金具等の固定手段を介して立設し、塀の隅角部に対向するそれぞれの忍返しは隅角部側の上記上下一対の連結棒材にとりつけられる接続金具を介して一体的に連結しており、該接続金具は上下一対の連結棒材にビス、ボルト等の止具で固定される固定部と、該固定部に連設している連結部と、該連結部同志を所定角度に変位可能に軸支している回転軸で構成されていることを特徴とする忍返しの取付構造」である。【０００５】その二つは「上記接続金具において、固定部に連設している連結部は、固定部の一端を略水平状に屈曲して形成していることを特徴とする上記構成の忍返しの取付構造」である。【０００６】その三つは「塀の隅角部に対向する忍返しは、隅角部に近接の剣先部材を除く他の剣先部材は、下端部を内側に屈曲して支持部を形成し、さらに支持部同志を連結材で連結し、隅角部に近接の剣先部材は上記支持部を欠除していることを特徴とする上記構成の忍返しの取付構造」である。
【考案の効果】
【０００７】本考案は、塀の入隅、出隅等隅角部に対向する忍返しは隅角部側にある上下一対の連結棒材に接続金具の固定部を止具で固定し、該金具の連結部同志を回転軸を介して所定角度に保持して連結しているので、隅角部は一体的に連結されており、空隙ができることがなく意匠感を整えており、さらに猫など動物の進入路となることもない。【０００８】接続金具は連結部同志が回転軸を介して連結されるので、隅角部の角度に対応した角度調整が可能であり立付けがよい。
【考案を実施するための最良の形態】
【０００９】本考案の実施形態を図面を用いて以下に説明する。
図１は本考案忍返しの取付構造の一実施例を示す説明用の斜視図である。
１はコンクリート塀、ブロック塀等塀の隅角部で、出隅を示す。該塀の天板１ａにはその長手方向に互いに接近して忍返し２が止具、金具等の固定手段を介して立設される。忍返し２は先端部に剣先部２ａを有する垂直状または傾斜状（図面では垂直状）の棒状の剣先部材２ｂの所要数を所定間隔をもって配し、該剣先部材の中間部をビス、ボルトなどの止具の螺子部の挿通間隔をもって上下一対の連結棒材２ｃ、２ｃでスポット溶接で連結している。【００１０】さらに該剣先部材の下端部を２本の連結材２ｄでスポット溶接で連結している。
この実施例は剣先部材の下端部を内側に屈曲して支持部２ｅとし、支持部を２本の連結材で連結している。ただし隅角部に近接の剣先部材については支持部を欠除している。本考案の忍返しは上記の構成で形成される。しかして塀の天板に長手方向に沿って止具、金具などの固定手段を介して立設される。上記天板は塀の天板直に、または笠木の天板であってもよい。【００１１】塀の隅角部に対向するそれぞれの忍返しは隅角部側の上下一対の連結棒材２ｃ、２ｃにとりつけられる接続金具３を介して一体的に連結している。接続金具の詳細な構成は後述する。【００１２】図２は接続金具の一実施例を示す平面図、図３は正面図である。
接続金具３は上下一対の連結棒材にビス、ボルト等の止具で固定される固定部３ａ、３ａと該固定部の一端を略水平状に屈曲して連設している連結部３ｂ、３ｂと該連結部同志を軸支している回転軸３ｃのかしめ止で構成している。３ａ１はビス、ボルト等の螺孔である。【００１３】図４は図１に示す本考案忍返しの取付構造の要部を示す正面展開図で、隅角部に立設される忍返しの取付構造を示す。図５は同右側面図である。
隅角部に対向する忍返し２、２はそれぞれ４本の剣先部材２ｂを上方中間部において止具の螺子部の挿通間隔をもって、上下一対の連結棒材２ｃ、２ｃを連結している。しかして隅角部側の上下一対の連結棒材２ｃ，２ｃにとりつけられる接続金具３を介して一体的に連結している。【００１４】接続金具３は固定部３ａを上下一対の連結棒材２ｃ、２ｃに当接してビス、ボルト等の止具４で螺着して固定し、該固定部に連設している連結部３ｂ、３ｂ同志を回転軸３ｃで軸支し、かしめ止している。
なお、剣先部材２ｂは隅角部に近接の１本の剣先部材を除く他の剣先部材の下端部を内側に屈曲して支持部２ｅを形成している。さらに支持部同志を２本の連結材２ｄ、２ｄで連結している。隅角部に近接の剣先部材は支持部を欠除している。【００１５】図６は図４に示す隅角部における忍返しの取付構造の実施態様を示す平面図である。
塀１の隅角部は鋭角の出隅であり、隅角部に対向するそれぞれの忍返し２、２が所定角度に変位した接続金具３を介して一体的に連結され、天板１ａに立設されている。
忍返し２、２の隅角部に近接の剣先部材は図示より明らかなよう支持部を欠除しているので、鋭角のあるいは直角の出隅であっても支持部が交差しないので忍返しの立設に支障がない。【００１６】図７は接続金具の他の実施例の使用状態を示す展開平面図、図８は同じく正面図である。
５は接続金具で、Ｌ型の固定部５ａ、５ａの−片にＬ型の連結部５ｂ、５ｂの一片が回転自在にかしめ軸５ｃで軸支されている。連結部の他片はスペーサ５ｅを介して回転軸５ｄで回転可能に言わば角度変位可能に軸支されている。そして固定部５ａは忍返しの剣先部材２ｂに連結されている上下一対の連結棒材２ｃ、２ｃに当接状態で止具６によって螺着されている。
以上本考案の実施例について説明したが、技術思想を逸脱しない限りの設計変更は可能である。
【図面の簡単な説明】
【００１７】
【図１】本考案忍返しの取付構造の一実施例を示す説明用の斜視図。
【図２】本考案忍返しの取付構造に用いる接続金具の一実施例を示す平面図。
【図３】図２に示す接続金具の正面図。
【図４】図１に示す本考案忍返しの取付構造の要部を示す正面展開図。
【図５】図４の右側面図。
【図６】図４に示す本考案忍返しの取付構造の実施態様に示す平面図。
【図７】本考案忍返しの取付構造に用いる接続金具の他の実施例の使用状態を示す展開平面図。
【図８】同じく使用状態を示す図７の正面図である。
【符号の説明】
【００１８】１    塀
１ａ  天板
２    忍返し
２ａ  剣先部
２ｂ  剣先部材
２ｃ  連結棒材
２ｄ  連結材
２ｅ  支持部
３    接続金具
３ａ  固定部
３ａ１螺孔
３ｂ  連結部
３ｃ  回転軸
４    止具
５    接続金具
５ａ  固定部
５ｂ  連結部
５ｃ  かしめ軸
５ｄ  回転軸
５ｅ  スペーサ
６    止具
【図１】
0003131969.tif 000003
【図２】
0003131969.tif 000004
【図３】
0003131969.tif 000005
【図４】
0003131969.tif 000006
【図５】
0003131969.tif 000007
【図６】
0003131969.tif 000008
【図７】
0003131969.tif 000009
【図８】
0003131969.tif 000010